(57)【要約】      （修正有）【課題】エアコンの室外機等から吹き出される風を利用して好適に電気を得られるように構成された風力発電装置を提供する。【解決手段】エアコンの室外機Ｇから吹き出される風を利用して発電し得る風力発電装置Ｊであって、添接部材Ａと、添接部材との間に隙間ｓｋを形成し得るように複数の連結部材Ｂを介して連結された風取込体Ｃと、風取込体の下流側に連設された円筒体Ｄと、円筒体の内部に設けられた第一の風力発電部Ｅ（１）と、第一の風力発電部よりも下流側に設けられた第二の風力発電部Ｅ（２）とを備える。【選択図】図１
0003226397.tif 000002
【実用新案登録請求の範囲】
【請求項１】
エアコンの室外機や排気装置から吹き出される風を利用して発電し得る風力発電装置であって、
環状をなし前記室外機や前記排気装置における風吹出口に添接し得る添接面を有した添接部材と、
前記添接部材との間に隙間を形成し得るように複数の連結部材を介して連結され、筒状をなし前記風を取り込む前開口部を有するとともに当該前開口部から取り込まれた前記風を下流側に流通させ得る流通路が形成された風取込体と、
前記風取込体の下流側に連設され、円筒状をなし前記風を下流側に流通させ得る流通路が形成された円筒体と、
前記円筒体の内部に設けられ前記風を受けて回転する回転羽根及び当該回転羽根に連結された発電機構により構成された第一の風力発電部と、
前記円筒体の内部における前記第一の風力発電部よりも下流側に設けられ前記風を受けて回転する回転羽根及び当該回転羽根に連結された発電機構により構成された第二の風力発電部と、
を備えてなる風力発電装置。
【請求項２】
前記円筒体が、少なくとも、円筒状をなす第一の円筒部材と、円筒状をなす第二の円筒部材とを備えたものであり、
前記第一の円筒部材の内部に前記第一の風力発電部が配設されており、
前記第二の円筒部材の内部に前記第二の風力発電部が配設されている
請求項１記載の風力発電装置。
【請求項３】
前記第一、第二の風力発電部により発電された電気が蓄えられる蓄電池を備えている請求項１又は２記載の風力発電装置。
【請求項４】
前記風取込体が、上流側から下流側に向かって漸次開口幅が小さくなる形状部分を有している請求項１、２又は３記載の風力発電装置。
【考案の詳細な説明】
【技術分野】
【０００１】
本考案は、風力発電装置に関するものである。
【背景技術】
【０００２】
従来から地球温暖化を抑制するための方策として、自然エネルギーすなわち太陽光エネルギーを利用したり自然の風力エネルギーを利用したりすることにより発電を行い、得られた電気を種々の用途に使用するという試みが行われている（例えば特許文献１参照）。
【０００３】
ところで、一般住宅のベランダやオフィスビルの屋上等には、エアーコンディショニング装置（以下、単に「エアコン」という。）の室外機が設けられている。室外機は、内部に冷却用のファンが内蔵されており、稼働時において外部空間に向かって風を吹き出している。ところが、先に述べた自然エネルギーとは異なり、室外機から吹き出された人工的な風力は、何ら再利用可能なエネルギーとして有効活用されていないのが実情である。
【０００４】
なお、以上の事情は、エアコンの室外機から吹き出された人工的な風力に限られるものではなく、換気等の目的で屋内の空気を屋外に排出するための排気装置から吹き出された人工的な風力においても同様である。
【先行技術文献】
【特許文献】
【０００５】
【特許文献１】実用新案登録第３１９０４９９号公報
【考案の概要】
【考案が解決しようとする課題】
【０００６】
本考案は、このような課題に着目してなされたものであって、エアコンの室外機や排気装置から吹き出される風を利用して好適に電気を得られるように構成された風力発電装置を提供することにある。
【課題を解決するための手段】
【０００７】
すなわち、本考案は次の構成をなしている。
【０００８】
請求項１に記載の考案は、エアコンの室外機や排気装置から吹き出される風を利用して発電し得る風力発電装置であって、環状をなし前記室外機や前記排気装置における風吹出口に添接し得る添接面を有した添接部材と、前記添接部材との間に隙間を形成し得るように複数の連結部材を介して連結され、筒状をなし前記風を取り込む前開口部を有するとともに当該前開口部から取り込まれた前記風を下流側に流通させ得る流通路が形成された風取込体と、前記風取込体の下流側に連設され、円筒状をなし前記風を下流側に流通させ得る流通路が形成された円筒体と、前記円筒体の内部に設けられ前記風を受けて回転する回転羽根及び当該回転羽根に連結された発電機構により構成された第一の風力発電部と、前記円筒体の内部における前記第一の風力発電部よりも下流側に設けられ前記風を受けて回転する回転羽根及び当該回転羽根に連結された発電機構により構成された第二の風力発電部と、を備えてなる風力発電装置である。
【０００９】
請求項２に記載の考案は、前記円筒体が、少なくとも、円筒状をなす第一の円筒部材と、円筒状をなす第二の円筒部材とを備えたものであり、前記第一の円筒部材の内部に前記第一の風力発電部が配設されており、前記第二の円筒部材の内部に前記第二の風力発電部が配設されている請求項１記載の風力発電装置である。
【００１０】
請求項３に記載の考案は、前記第一、第二の風力発電部により発電された電気が蓄えられる蓄電池を備えている請求項１又は２記載の風力発電装置である。
【００１１】
請求項４に記載の考案は、前記風取込体が、上流側から下流側に向かって漸次開口幅が小さくなる形状部分を有している請求項１、２又は３記載の風力発電装置である。
【考案の効果】
【００１２】
以上説明したように本考案によれば、エアコンの室外機や排気装置から吹き出される風を利用して好適に電気を得られるように構成された風力発電装置を提供することができるものとなる。
【図面の簡単な説明】
【００１３】
【図１】本考案の一実施形態を示す左側面図。
【図２】同実施形態を示す分解左側面図。
【図３】図２におけるＸ方向矢視図。
【図４】図２におけるＹ−Ｙ線断面図。
【図５】同実施形態における中央断面図。
【図６】他の実施形態を示す概略的な正面図。
【考案を実施するための形態】
【００１４】
以下、本考案の一実施形態を、図１〜５を参照して説明する。
【００１５】
風力発電装置Ｊは、エアコン（エアーコンディショニング装置）の室外機Ｇから外部に吹き出される風Ｗや、換気等の目的で屋内の空気を屋外に排出するための排気装置（図示せず）から外部に吹き出された風を利用して発電し得るものである。この実施形態の説明では、エアコンの室外機Ｇから外部に吹き出される風Ｗを利用して発電し得るようにした風力発電装置Ｊを例示して説明することとする。
【００１６】
風力発電装置Ｊは、環状をなし室外機Ｇにおける風吹出口Ｈの周縁部に添接し得る添接面ａ１を有した添接部材Ａと、添接部材Ａとの間に放熱用の隙間ｓｋを形成し得るように柱状をなす複数の連結部材Ｂを介して連結され、円筒状をなし風Ｗを取り込む取込口たる前開口部ｃ１を有するとともに当該前開口部ｃ１から取り込まれた風Ｗを下流側に流通させ得る流通路ｃｒｔが形成された風取込体Ｃと、風取込体Ｃの下流側に連設され、円筒状をなし風Ｗを下流側に流通させ得る流通路ｄｒｔが形成された円筒体Ｄと、円筒体Ｄの内部に設けられ風Ｗを受けて回転する回転羽根ｅ１及び当該回転羽根ｅ１に連結された発電機構ｅ２により構成された第一の風力発電部Ｅ（１）と、円筒体Ｄの内部における第一の風力発電部Ｅ（１）よりも下流側に設けられ風Ｗを受けて回転する回転羽根ｅ１及び当該回転羽根ｅ１に連結された発電機構ｅ２により構成された第二の風力発電部Ｅ（２）と、円筒体Ｄの内部における第二の風力発電部Ｅ（２）よりも下流側に設けられ風Ｗを受けて回転する回転羽根ｅ１及び当該回転羽根ｅ１に連結された発電機構ｅ２により構成された第三の風力発電部Ｅ（３）と、円筒体Ｄの内部における第三の風力発電部Ｅ（３）よりも下流側に設けられ風Ｗを受けて回転する回転羽根ｅ１及び当該回転羽根ｅ１に連結された発電機構ｅ２により構成された第四の風力発電部Ｅ（４）と、第一、第二、第三、第四の風力発電部Ｅ（１）、Ｅ（２）、Ｅ（３）、Ｅ（４）により発電された電気が蓄えられる蓄電池Ｔと、風取込体Ｃ及び円筒体Ｄを所定の位置に支持させる図示しない支持体とを備えている。
【００１７】
室外機Ｇは、エアーコンディショニング装置を構成する既知の構成のものである。室外機Ｇは、筐体ｇ１の内部に冷媒を冷却するためのファンＦが配されている。室外機Ｇは、ボックス状をなす筐体ｇ１に、ファンＦにより生成された風Ｗを外部に吹き出すための風吹出口Ｈが設けられている。室外機Ｇは、エアコンの稼働時において、ファンＦにより生成された風Ｗを風吹出口Ｈを通じて横方向に吹き出し得るものとなっている。
【００１８】
添接部材Ａは、円環状をなしたものである。添接部材Ａは、室外機Ｇ側を向く外面が室外機Ｇの風吹出口Ｈの周縁部に添接し得る添接面ａ１を構成している。添接面ａ１は、例えば、磁石、粘着テープ、接着剤、その他種々の方法で、室外機Ｇにおける風吹出口Ｈの周縁部に添接し得るものである。
【００１９】
連結部材Ｂは、添接部材Ａと風取込体Ｃとを一定の隙間ｓｋを空けた状態で連結するためのものである。この実施形態では、連結部材Ｂは、添接部材Ａに一定の間隔を空けて複数（六つ）設けられている。連結部材Ｂにより作られた隙間ｓｋからは室外機Ｇにより生成された熱を逃すことができるようになっている。
【００２０】
風取込体Ｃは、室外機Ｇからの風Ｗを取り込むとともに当該風Ｗを風取込体Ｃの後に配された円筒体Ｄに導くものである。風取込体Ｃは、添接部材Ａと略同じ開口幅に設定された風取込用の前開口部ｃ１を有しているとともに前開口部ｃ１よりも小さな開口幅に設定された風吐出用の後開口部ｃ２を有している。前開口部ｃ１は横方向に開放されたものであり、後開口部ｃ２は上方向に開放されたものとなっている。なお、風取込体Ｃは、上流側から下流側に向かって漸次開口幅が小さくなる形状部分ｃ３を有している。
【００２１】
円筒体Ｄは、風取込体Ｃの後開口部ｃ２に嵌合して連結される円筒状をなす第一の円筒部材ｄ１と、第一の円筒部材ｄ１に嵌合して連結される円筒状をなす第二の円筒部材ｄ２と、第二の円筒部材ｄ２に嵌合して連結され円筒状をなし側面視において略Ｕ字状をなす風流軌道変更用の連結円筒部材ｄ５と、連結円筒部材ｄ５に嵌合して連結され円筒状をなす第三の円筒部材ｄ３と、第三の円筒部材ｄ３に嵌合して連結され円筒状をなす第四の円筒部材ｄ４とを備えたものである。
【００２２】
第一、第二、第三、第四の円筒部材ｄ１、ｄ２、ｄ３、ｄ４は、それぞれ同一構造のものである。第一、第二、第三、第四の円筒部材ｄ１、ｄ２、ｄ３、ｄ４は、それぞれ、前端部に外嵌部ｓを有するとともに後端部に内嵌部ｎを有している。また、連結円筒部材ｄ５も、前端部に外嵌部ｓを有するとともに後端部に内嵌部ｎを有している。つまり、この実施形態の円筒体Ｄは、同一構造をなす任意の数である複数の円筒部材ｄ１、ｄ２、ｄ３、ｄ４や連結円筒部材ｄ５を嵌め合わせて連結させることにより、設置箇所に応じた適切な形態を採り得るものとなっている。
【００２３】
各円筒部材ｄ１、ｄ２、ｄ３、ｄ４の内部にはそれぞれ風力発電部Ｅ（１）、Ｅ（２）、Ｅ（３）、Ｅ（４）が配設されている。すなわち、第一の円筒部材ｄ１の内部に第一の風力発電部Ｅ（１）が配設されており、第二の円筒部材ｄ２の内部に第二の風力発電部Ｅ（２）が配設されており、第三の円筒部材ｄ３の内部に第三の風力発電部Ｅ（３）が配設されており、第四の円筒部材ｄ４の内部に第四の風力発電部Ｅ（４）が配設されている。
【００２４】
各風力発電部Ｅ（１）、Ｅ（２）、Ｅ（３）、Ｅ（４）は、風Ｗを受けて回転し得る回転羽根ｅ１と、回転羽根ｅ１に連結された発電機構ｅ２と、回転羽根ｅ１及び発電機構ｅ２を各円筒部材ｄ１、ｄ２、ｄ３、ｄ４の内部空間に配設するための支持部材ｅ３とを備えたものである。
【００２５】
回転羽根ｅ１及び発電機構ｅ２は既知の構成のものであり詳細な説明を省略する。支持部材ｅ３は、円筒部材ｄ１、ｄ２、ｄ３、ｄ４内における風Ｗの流通を確保しつつ回転羽根ｅ１及び発電機構ｅ２を支持できるように円筒部材ｄ１、ｄ２、ｄ３、ｄ４の内面間に架設されている。
【００２６】
蓄電池Ｔは、第一、第二、第三、第四の風力発電部Ｅ（１）、Ｅ（２）、Ｅ（３）、Ｅ（４）により発電された電気が蓄えられる既知の構成のものである。各風力発電部Ｅ（１）、Ｅ（２）、Ｅ（３）、Ｅ（４）の発電機構ｅ２と蓄電池Ｔとは配線により繋がっている。
【００２７】
このように、本実施形態に係る風力発電装置Ｊは、エアコンの室外機Ｇから吹き出される風Ｗを利用して発電し得るものである。
【００２８】
風力発電装置Ｊは、環状をなし室外機Ｇに添接し得る添接面ａ１を有した添接部材Ａと、添接部材Ａとの間に隙間ｓｋを形成し得るように複数の連結部材Ｂを介して連結され、筒状をなし風Ｗを取り込む取込口たる前開口部ｃ１を有するとともに当該前開口部ｃ１から取り込まれた風Ｗを下流側に流通させ得る流通路ｃｒｔが形成された風取込体Ｃと、風取込体Ｃの下流側に連設され、円筒状をなし風Ｗを下流側に流通させ得る流通路ｄｒｔが形成された円筒体Ｄとを備えている。
【００２９】
また、風力発電装置Ｊは、円筒体Ｄの内部に設けられ風Ｗを受けて回転する回転羽根ｅ１及び当該回転羽根ｅ１に連結された発電機構ｅ２により構成された第一の風力発電部Ｅ（１）と、円筒体Ｄの内部における第一の風力発電部Ｅ（１）よりも下流側に設けられ風Ｗを受けて回転する回転羽根ｅ１及び当該回転羽根ｅ１に連結された発電機構ｅ２により構成された第二の風力発電部Ｅ（２）とを備えてなる。
【００３０】
さらに、風力発電装置Ｊは、円筒体Ｄの内部における第二の風力発電部Ｅ（２）よりも下流側に設けられ風Ｗを受けて回転する回転羽根ｅ１及び当該回転羽根ｅ１に連結された発電機構ｅ２により構成された第三の風力発電部Ｅ（３）と、円筒体Ｄの内部における第三の風力発電部Ｅ（３）よりも下流側に設けられ風Ｗを受けて回転する回転羽根ｅ１及び当該回転羽根ｅ１に連結された発電機構ｅ２により構成された第四の風力発電部Ｅ（４）とを備えてなる。
【００３１】
このため、本実施形態に示される風力発電装置Ｊは、エアコンの室外機Ｇから吹き出される風Ｗを利用して複数すなわち四つの風力発電部Ｅ（１）、Ｅ（２）、Ｅ（３）、Ｅ（４）を用いて好適に電気を得られるように構成されたものとなっている。
【００３２】
添接部材Ａは、環状をなし室外機Ｇに添接し得る添接面ａ１を有したものであるため、室外機Ｇの筐体ｇ１に容易に接続できるものとなっている。
【００３３】
風取込体Ｃは、添接部材Ａとの間に隙間ｓｋを形成し得るように複数の連結部材Ｂを介して連結されているので、室外機Ｇの風吹出口Ｈの周囲に熱が籠り難いものとなっている。
【００３４】
また、風取込体Ｃは、筒状をなし風Ｗを取り込む取込口たる前開口部ｃ１を有するとともに当該前開口部ｃ１から取り込まれた風Ｗを下流側に流通させ得る流通路ｃｒｔが形成されたものであるため、室外機Ｇからの風Ｗを複数の風力発電部すなわち第一〜第４の風力発電部Ｅ（１）〜Ｅ（４）を設けた円筒体Ｄに適切に導くことができるようになっている。
【００３５】
風取込体Ｃの下流側に連設され、円筒状をなし風Ｗを下流側に流通させ得る流通路ｄｒｔが形成された円筒体Ｄと、円筒体Ｄの内部に設けられ風Ｗを受けて回転する回転羽根ｅ１及び当該回転羽根ｅ１に連結された発電機構ｅ２により構成された第一の風力発電部Ｅ（１）と、円筒体Ｄの内部における第一の風力発電部Ｅ（１）よりも下流側に設けられ風Ｗを受けて回転する回転羽根ｅ１及び当該回転羽根ｅ１に連結された発電機構ｅ２により構成された第二の風力発電部Ｅ（２）と、円筒体Ｄの内部における第二の風力発電部Ｅ（２）よりも下流側に設けられ風Ｗを受けて回転する回転羽根ｅ１及び当該回転羽根ｅ１に連結された発電機構ｅ２により構成された第三の風力発電部Ｅ（３）と、円筒体Ｄの内部における第三の風力発電部Ｅ（３）よりも下流側に設けられ風Ｗを受けて回転する回転羽根ｅ１及び当該回転羽根ｅ１に連結された発電機構ｅ２により構成された第四の風力発電部Ｅ（４）とを備えているため、円筒体Ｄの内部において前後方向に並び配された複数の風力発電部Ｅ（１）、Ｅ（２）、Ｅ（３）、Ｅ（４）によってより多くの電気を生成し得るものとなっている。
【００３６】
円筒体Ｄが、円筒状をなす第一の円筒部材ｄ１と、円筒状をなす第二の円筒部材ｄ２と、円筒状をなす第三の円筒部材ｄ３と、円筒状をなす第四の円筒部材ｄ４とを備えている。そして、第一の円筒部材ｄ１の内部に第一の風力発電部Ｅ（１）が配設されており、第二の円筒部材ｄ２の内部に第二の風力発電部Ｅ（２）が配設されており、第三の円筒部材ｄ３の内部に第三の風力発電部Ｅ（３）が配設されており、第四の円筒部材ｄ４の内部に第四の風力発電部Ｅ（４）が配設されている。
【００３７】
このため、各円筒部材ｄ１、ｄ２、ｄ３、ｄ４と各風力発電部Ｅ（１）、Ｅ（２）、Ｅ（３）、Ｅ（４）とによってユニット体が構成されたものとなり、二以上の複数のユニット体の連結が柔軟に実行し得るものとなっている。
【００３８】
第一、第二、第三、第四の風力発電部Ｅ（１）、Ｅ（２）、Ｅ（３）、Ｅ（４）により発電された電気が蓄えられる蓄電池Ｔを備えている。このため、蓄電池Ｔを持ち運ぶことによって、当該蓄電池Ｔに蓄積された電気を種々の用途に柔軟に利用し得るものとなっている。
【００３９】
風取込体Ｃが、上流側から下流側に向かって漸次開口幅が小さくなる形状部分ｃ３を有している。このため、室外機Ｇからの風Ｗを、比較的広い前開口部ｃ１を通じて有効に取り込みつつ、下流側に配された円筒体Ｄ及び複数の風力発電部Ｅ（１）、Ｅ（２）、Ｅ（３）、Ｅ（４）に対して適切に導くことができるものとなっている。
【００４０】
なお、本考案は、以上に詳述した実施形態に限られるものではない。
【００４１】
風力発電装置が発電に利用する風は、エアコンの室外機から吹き出される風に限られるものではなく、屋内の空気を屋外に排出するための排気装置から吹き出された風であってもよい。換言すれば、風力発電装置の添接部材は排気装置における風吹出口に添接し得る添接面を有したものであってもよい。
【００４２】
室外機や排気装置の風吹出口から吹き出される風は横方向に限られず上方向に吹き出されるものであってもよい。
【００４３】
添接部材は、環状のものであればよく、円環状のものに限られない。例えば、添接部材は、矩形環状のものであってもよい。
【００４４】
複数の連結部材は、添接部材と風取込体との間に隙間を形成し得るように介設されるものであればよく、その形状はどのようなものであってもよい。
【００４５】
風取込体の形態も、前開口部から取り込まれた風を下流側に流通させ得る流通路が形成されたものであれば、どのようなものであってもよい。
【００４６】
例えば、図６に示すように、円筒体Ｄを正面視においてＵ字状をなすように形成してもよい。なお、図６の例では、Ｕ字状をなす円筒体Ｄを左右に対をなすように設けることにより、室外機や排気装置から吹き出される風が流通し得る二経路の流通路ｄｒｔを形成している。
【００４７】
このように構成すれば、風力発電装置Ｊの全体的な奥行き寸法を低減させることができるだけでなく、室外機や排気装置から吹き出される風を、左右の各円筒体Ｄ内にそれぞれ配された風力発電部Ｅ（１）、Ｅ（２）、Ｅ（３）、Ｅ（４）、Ｅ（５）に至らせることができるものとなる。
【００４８】
円筒体は、必ずしも複数の円筒部材により構成されたものでなくてもよく、筒状をなす単一構造のものであってもよい。
【００４９】
円筒体を構成する連結円筒部材は側面視Ｕ字状のものに限られるものではない。例えば、連結円筒部材を蛇腹状の材料により形成し、任意の角度に曲げることができるように構成したものであってもよい。
【００５０】
風力発電部は、四以上の複数設けられたものであってもよい。
【００５１】
図６の例に示すように、連結円筒部材ｄ５の内部に風力発電部Ｅ（５）を設けてもよい。
【００５２】
その他、各部の具体的構成についても上記実施形態に限られるものではなく、本考案の趣旨を逸脱しない範囲で種々変形が可能である。
【符号の説明】
【００５３】
Ｊ…風力発電装置
Ａ…添接部材
Ｂ…連結部材
Ｃ…風取込体
Ｄ…円筒体
Ｅ…風力発電部
Ｔ…蓄電池
【図１】
0003226397.tif 000003
【図２】
0003226397.tif 000004
【図３】
0003226397.tif 000005
【図４】
0003226397.tif 000006
【図５】
0003226397.tif 000007
【図６】
0003226397.tif 000008